(57)【特許請求の範囲】
【請求項１】
部品を着脱可能に保持する部品保持部を一つ以上備える部品保持部材であって、
上記部品保持部は、部品を挿入して収容可能なスリット状の部品収容空間を形成するように該部品収容空間の厚さ方向において互いに対向させて設けられた複数の壁部を備え、
該互いに対向する複数の壁部のうち一方の壁部は、該部品収容空間側の内壁面の部品挿入方向奥側に突起が形成された可撓性の部品押え部を有し、
該複数の壁部のうち該部品押え部を有しない他方の壁部は、部品挿入方向手前側の端部に部分的な切り欠きを有し、
上記部品押え部は、上記一方の壁部が部品挿入方向に貫通した切り欠きで分断され上記部品が挿入されたときに撓むように上記部品収容空間の部品挿入方向に直交する幅方向における該一方の壁部の端部から中央側に部分的に延ばして形成された片持ち形状部分の自由端部であることを特徴とする部品保持部材。
【請求項２】
請求項１の部品保持部材において、
上記切り欠きの幅は、部品挿入方向手前側が広くなっていることを特徴とする部品保持部材。
【請求項３】
請求項１又は２の部品保持部材において、
上記部品保持部は、部品挿入方向奥側に、上記部品収容空間に挿入される部品の先端部が突き当たる部品突き当て部を有することを特徴とする部品保持部材。
【請求項４】
請求項１、２又は３の部品保持部材において、
上記部品保持部は、部品挿入方向と上記複数の壁部の互いに対向する対向方向とに直交する方向から上記部品収容空間に面する壁部をさらに有し、該部品収容空間が少なくとも４つの壁面で囲まれるように形成されていることを特徴とする部品保持部材。
【請求項５】
装置本体内部に部品保持部材を備えた画像形成装置であって、
請求項１乃至４のいずれかの部品保持部材を備えたことを特徴とする画像形成装置。
【請求項６】
請求項５の画像形成装置において、
上記部品保持部材を、通常使用時には装置外部には露出しない箇所であって、保守点検時には容易にアクセスできる箇所に備えたことを特徴とする画像形成装置。
【請求項７】
請求項５又は６の画像形成装置において、
上記部品保持部材を、装置を制御する電子部品が格納されたコントローラボックス内に備えたことを特徴とする画像形成装置。
【請求項８】
請求項５、６又は７の画像形成装置において、
上記部品保持部材を、原稿を搬送する自動原稿搬送装置内に備えたことを特徴とする画像形成装置。
【発明の詳細な説明】
【技術分野】
【０００１】
本発明は、着脱可能な記憶媒体等の部品を保持する部品保持部材、及び、この部品保持部材を備えた複写機、プリンタ、ＦＡＸなどの画像形成装置に関するものである。
【背景技術】
【０００２】
従来、画像形成装置は、ユーザの要望によりオプションでアプリケーションを追加することができるようになっており、アプリケーションの追加は、一般的にＳＤカードなどの着脱可能な記憶媒体からプログラムやデータをインストールして行われる。アプリケーションをインストールするために用いられた記憶媒体は、通常再度使用されることはないが、再インストールが必要となる場合に備えて保管しておく必要がある。この記憶媒体の保管にあたり、ユーザに保管の負荷をかけないようにすることが望ましい。このため、記憶媒体などの部品をユーザが触れることがない装置内部に保管しておくことができる画像形成装置が提案されている。
【０００３】
例えば、特許文献１には、商品やブランドを表示する部材の内側の空洞部に部品を入れ、クッション機能を有する可撓性部材、例えば、発泡ウレタンフォームや発泡ポリスチレンフォームなどの発泡性材料によって挟み込んで、いわゆる、サンドイッチ構造により部品を固定保持する構造を有する画像形成装置が提案されている。これにより、部品を本体筐体の内部に保管しておくことができ、しかもサービスマンによる保守点検の際には、保管されている部品を簡単に取り出して利用することができるため、保守点検の際の利便性を向上させることができる。また、同文献には、保管対象の部品がＳＤカードやＩＣタグなどの薄いカード型の部品の場合には、発泡性材料に複数の切り込みを形成しておき、その切り込みに薄いカード型の部品を挟み込んで保持し、部品を保持した発泡性材料をカバー内側の空洞部に嵌め込んで固定する構成を有する画像形成装置が提案されている。
【発明の概要】
【発明が解決しようとする課題】
【０００４】
上記特許文献１で提案された可撓性部材として用いられる発泡性材料は、そのクッション機能を利用して装置内部の空洞部に部品を嵌め込んで簡単に固定することができ、しかも加工が容易で安価であるという利点を有している。しかしながら、発泡性材料で部品を挟み込んで保持する場合に、堅固に保持することは難しいので、保持している部品が重力や振動の影響で緩んだり、落下したりしないように発泡性材料を設置することが望ましい。例えば、商品やブランドを表示する部材の内側の空洞部に部品を入れて発泡性材料で挟み込んで保持する場合には、発泡性材料の挟み込み挿入方向を重力方向にする。また、発泡性材料に形成された切り込みに部品を挟み込んで保持する場合には、部品の挿入保持方向を重力方向にする。このように部品の挿入方向の制約を受けることなく、可撓性部材として用いられる発泡性材料で部品を堅固に保持することは難しかった。
【０００５】
本発明は以上の問題点に鑑みなされたものであり、その目的は、部品の挿入方向に制約を受けることなく、記憶媒体などの部品を堅固に保持することができる部品保持部材及びこれを備えた画像形成装置を提供することである。
【課題を解決するための手段】
【０００６】
上記課題を解決するために、請求項１の発明は、部品を着脱可能に保持する部品保持部を一つ以上備える部品保持部材であって、上記部品保持部は、部品を挿入して収容可能なスリット状の部品収容空間を形成するように該部品収容空間の厚さ方向において互いに対向させて設けられた複数の壁部を備え、該互いに対向する複数の壁部のうち一方の壁部は、該部品収容空間側の内壁面の部品挿入方向奥側に突起が形成された可撓性の部品押え部を有し、該複数の壁部のうち該部品押え部を有しない他方の壁部は、部品挿入方向手前側の端部に部分的な切り欠きを有し、上記部品押え部は、上記一方の壁部が部品挿入方向に貫通した切り欠きで分断され上記部品が挿入されたときに撓むように上記部品収容空間の部品挿入方向に直交する幅方向における該一方の壁部の端部から中央側に部分的に延ばして形成された片持ち形状部分の自由端部であることを特徴とするものである。
また、請求項２の発明は、請求項１の部品保持部材において、上記切り欠きの幅は、部品挿入方向手前側が広くなっていることを特徴とするものである。
また、請求項３の発明は、請求項１又は２の部品保持部材において、上記部品保持部は、部品挿入方向奥側に、上記部品収容空間に挿入される部品の先端部が突き当たる部品突き当て部を有することを特徴とするものである。
また、請求項４の発明は、請求項１、２又は３の部品保持部材において、上記部品保持部は、部品挿入方向と上記複数の壁部の互いに対向する対向方向とに直交する方向から上記部品収容空間に面する壁部をさらに有し、該部品収容空間が少なくとも４つの壁面で囲まれるように形成されていることを特徴とするものである。
また、請求項５の発明は、装置本体内部に部品保持部材を備えた画像形成装置であって、請求項１乃至４のいずれかの部品保持部材を備えたことを特徴とするものである。
また、請求項６の発明は、請求項５の画像形成装置において、上記部品保持部材を、通常使用時には装置外部には露出しない箇所であって、保守点検時には容易にアクセスできる箇所に備えたことを特徴とするものである。
また、請求項７の発明は、請求項５又は６の画像形成装置において、上記部品保持部材を、装置を制御する電子部品が格納されたコントローラボックス内に備えたことを特徴とするものである。
また、請求項８の発明は、請求項５、６又は７の画像形成装置において、上記部品保持部材を、原稿を搬送する自動原稿搬送装置内に備えたことを特徴とするものである。
【０００７】
本発明においては、部品保持部のスリット状の部品収容空間に部品を挿入すると、部品押え部が撓み、部品押え部に形成された突起と、部品押え部を有する壁部と対向する壁部の壁面又はその対向する壁部が有する部品押え部の突起との間に部品を挟み込んで堅固に保持することができる。
【発明の効果】
【０００８】
本発明によれば、部品の挿入方向に制約を受けることなく、記憶媒体などの部品を堅固に保持することができる部品保持部材及びこれを備えた画像形成装置を提供することができるという優れた効果がある。
【図面の簡単な説明】
【０００９】
【図１】本発明の実施形態に係る部品保持部材としての記憶媒体保持部材の構成を示す斜視図。
【図２】記憶媒体保持部材を図１中の矢視Ａ方向から見た側面図。
【図３】記憶媒体保持部材のスリットにそれぞれ記憶媒体を挿入した状態を示す斜視図。
【図４】本実施形態に係る複写機を裏側から見た概略構成を示す斜視図。
【図５】複写機の内部に搭載されるコントローラボックスを複写機の外部に引き出した状態の概略構成を示す斜視図。
【図６】図示しないスキャナに対して開状態の自動原稿搬送装置を下側から見た斜視図。
【図７】自動原稿搬送装置から原稿押えを取り外した状態の斜視図。
【発明を実施するための形態】
【００１０】
以下、本発明を適用した部品保持部材の実施形態について説明する。図１は、本発明の実施形態に係る部品保持部材としての記憶媒体保持部材１の構成を示す斜視図である。図２は、記憶媒体保持部材１を図１中の矢視Ａ方向から見た側面図である。図示の例は、部品として薄いカード型の記憶媒体を収納して保持する部品保持部材の一例である。
【００１１】
図１において、記憶媒体保持部材１は、記憶媒体を着脱可能に保持する部品保持部２を並列に３箇備えており、同時に３枚の記憶媒体を保持することができるようになっている。この部品保持部２は３箇に限らず、１箇以上備えていればよい。部品保持部２は、記憶媒体を挿入して収容可能なスリット状の部品収容空間３を形成するように互いに対向させて設けられた複数の壁部４、５を備えており、これらの複数の壁部４、５の少なくとも一方の壁部４は、部品収容空間３側の内壁面に突起４ａが形成された可撓性の部品押え部４ｂを有している。突起４ａと対向する壁部５の壁面５ａとの間のスリット幅が最も小さく、挿入される記憶媒体の厚さよりも小さくなっている。上記部品押え部４ｂは、その部品押え部４ｂを有する壁部４が記憶媒体挿入方向に貫通した切り欠き４ｃで分断され、記憶媒体が挿入されたときに撓むように形成された自由端部となっている。このため、部品押え部４ｂは記憶媒体と当接して容易に撓むことができる。そして、部品収容空間３に記憶媒体を挿入すると、記憶媒体が突起４ａに当接して部品押え部４ｂを押し広げるため、部品押え部４ｂが撓み、その復元力によって、突起４ａと対向する壁面５ａとの間で記憶媒体を堅固に保持することができる。
【００１２】
また、部品保持部２は、記憶媒体の挿入方向奥側に、部品収容空間３に挿入される記憶媒体の先端部が突き当たる部品突き当て部としての底面６を有している。図示の例では、部品突き当て部として、記憶媒体挿入方向奥側の部品収容空間３の中央部と両端部に底面６が形成されていて、記憶媒体の挿入方向の位置決めを容易に行うことができる。
また、部品押え部４ｂを有する壁４と対向する部品押え部を有しない壁部５には、部分的な切り欠き５ｂが形成されている。図示の例では、切り欠きの幅が、記憶媒体の挿入方向手前側が奥側に比べて広くなっている部分的な切り欠き５ｂが形成されている。
さらに、記憶媒体保持部材１を画像形成装置の筐体にネジ止めするための取付け孔７ａと位置決め用ガイド７ｂとが形成されている。
また、上記部品保持部２は、記憶媒体の挿入方向と上記複数の壁部４、５の互いに対向する対向方向とに直交する方向から上記部品収容空間３に面する壁部８、９をさらに有しており、部品収容空間３が少なくとも４つの壁面で囲まれるように形成されている。４つの壁面で囲まれることにより、部品収容空間３に挿入された記憶媒体は、壁部８、９により移動が制限され、複数の壁部４、５の互いに対向する対向方向と直交する方向に移動することなく保持される。
なお、図示の例では、部品押え部４ｂを有する壁部４と対向する壁部５は、部品押え部を有しないが、この壁部５にも同様に、突起が形成された部品押え部を設けてもよい。
【００１３】
図２において、部品押え部４ｂを有する壁部４の記憶媒体の挿入方向に貫通した切り欠き４ｃの幅は、記憶媒体の挿入方向手前側が奥側に比べて広くなっている。また、上述したように、部品押え部４ｂを有する壁部４と対向する部品押え部を有しない壁部５には、部分的な切り欠き５ｂが形成されている。このように、対向する両壁部４、５それぞれの記憶媒体の挿入方向手前側が切り欠けているので、記憶媒体を挿入又は取り外す際、作業者の指が入りやすく、記憶媒体側面のつまむ部分の面積を十分に確保することができ、作業性が良好である。また、複数の部品保持部２を設ける場合にその間隔を狭くしても作業性を損なわず、省スペース化を図ることができる。
【００１４】
上記記憶媒体保持部材１は、例えばＡＢＳ樹脂からなる樹脂成型品である。部品押え部４ｂを有する壁部４の肉厚や形状を適宜設定することによって、記憶媒体の保持力と、着脱時に必要な力とを調整することができる。なお、記憶媒体保持部材１は、ＡＢＳ樹脂に限らず、ポリプロピレンやポリスチレン等の他の汎用プラスチック用樹脂や、ポリアセタールやポリカーボネート等のエンジニアリングプラスチック用樹脂からなる樹脂成型品であってもよい。また、ウレタンゴムやシリコンゴム等のゴムからなる成型品であってもよい。さらに、鉄やアルミニウムなどの金属材料を精密板金加工したものであってもよい。
【００１５】
図３は、記憶媒体保持部材１の部品収容空間３にそれぞれ記憶媒体Ｍを挿入した状態を示す斜視図である。図示の記憶媒体ＭはＳＤカードの例を示しているが、ＩＣタグなど他の種類のメモリカードであってもよい。記憶媒体Ｍはその先端部が底面６に突き当たるまで挿入され、底面６と部品収容空間３を形成する壁部４、５とによって回転することなく位置決め保持される。このとき記憶媒体Ｍが突起４ａに当接して部品押え部４ｂを押し広げるため、部品押え部４ｂが撓み、その復元力によって、突起４ａと対向する壁面５ａとの間で記憶媒体Ｍを堅固に保持することができる。これにより、記憶媒体Ｍは、記憶媒体保持部材１の部品収容空間３の内側で固定され、例えば、記憶媒体保持部材１自体を反転させて記憶媒体Ｍが下側に向いたとしても落下することはなく、記憶媒体保持部材１の姿勢によらず記憶媒体Ｍを堅固に保持して収納することができる。
【００１６】
次に、上記記憶媒体保持部材１を画像形成装置である複写機の内部に取付けた実施形態について具体的に説明する。図４は本実施形態に係る複写機１００を裏側から見た概略構成を示す斜視図である。
図４に示すように、本実施形態に係る複写機１００は、制御用の電子部品が格納されたコントローラボックス１０１と、原稿を搬送する自動原稿搬送装置１１０と、原稿の画像を読み取る画像読取部を備えたスキャナ１２０と、スキャナ１２０により読み取られた原稿の画像を記録紙に記録する画像形成ユニット１３０とを備えている。なお、コントローラボックス１０１には本来保護カバーが取付けられているが、図示の例は保護カバーを省略した状態を示している。自動原稿搬送装置１１０は、スキャナ１２０上に開閉機構（例えばヒンジ）１１１を介して開閉自在に取付けられ、スキャナ１２０は、画像形成ユニット１３０の上部に固定されている。また、この複写機１００は、画像形成ユニット１３０により画像を形成された記録紙を排出する排紙トレイ１４０、ユーザによる入力操作を行う図示しない操作部等も備えている。なお、画像形成ユニット１３０の構成については、従来公知の電子写真方式、インクジェット方式等の方式を採用することができ、その詳細な説明は省略する。
【００１７】
図５は、複写機１００の内部に搭載されるコントローラボックス１０１を複写機１００の外部に引き出した状態の概略構成を示す斜視図である。コントローラボックス１０１は図中Ｂ方向に移動して複写機１００の内部から引き出される。
図５において、コントローラボックス１０１の内部に配設されたブラケット１０２に記憶媒体保持部材１がネジ１０３によりネジ止めされている。ブラケット１０２の図示しない位置決め孔に記憶媒体保持部材１の位置決め用ガイド７ｂが係合しているので、記憶媒体保持部材１を１本のネジ１０３で簡単かつ確実に取付けることができる。記憶媒体Ｍは、コントローラボックス１０１内に取付けられた記憶媒体保持部材１に水平方向に挿入され、部品押え部４ｂの突起４ａと対向する壁面５ａとの間で堅固に保持されるので、コントローラボックス１０１の格納動作や引出し動作を行っても緩んで落下することはない。このようにコントローラボックス１０１がオプションの増設などのために簡単に引き出される構成となっていれば、通常使用時にはコントローラボックス１０１を複写機１００の内部に格納しておき、ユーザが意識することなく保管の必要な記憶媒体Ｍを収納しておくことができる。
【００１８】
図６は、スキャナ１２０（不図示）に対して開状態の自動原稿搬送装置１１０を下側から見た斜視図である。自動原稿搬送装置１１０には、スキャナ１２０の原稿載置台と対向する面に原稿押え１１２が図示しない面ファスナーにより取付けられている。
【００１９】
図７は、自動原稿搬送装置１１０から原稿押え１１２を取り外した状態の斜視図であり、図６と比べて自動原稿搬送装置１１０の上下方向が逆になった状態を示している。
図７において、自動原稿搬送装置１１０から面ファスナーにより取付けられた原稿押え１１２を取り外した内側の原稿押え１１２と干渉しない凹部１１３に、記憶媒体保持部材１が取付けられている。凹部１１３の図示しない位置決め孔に記憶媒体保持部材１の位置決め用ガイド７ｂが係合しており、記憶媒体保持部材１を１本のネジ１１４で簡単かつ確実に取付けることができる。スキャナ１２０に対して自動原稿搬送装置１１０を閉じると、記憶媒体保持部材１の部品保持部２に保持された記憶媒体Ｍは、収容時の挿入方向と重力方向とが逆になるが、記憶媒体Ｍは堅固に保持されているので、落下することはない。また、通常使用時は面ファスナをはがして原稿押え１１２を取り外すことはないので、ユーザが意識することなく、保管の必要な記憶媒体Ｍを収納しておくことができる。コントローラボックス１０１内に設置した記憶媒体保持部材１と併せて用いることで、保管すべき記憶媒体Ｍが増えた場合にも記憶媒体保持部材１を追加して機内での収納場所を増やすことができる。
【００２０】
以上、本実施形態によれば、記憶媒体Ｍを記憶媒体保持部材１の部品収容空間３に挿入すると、部品押え部４ｂが撓み、部品押え部４ｂに形成された突起４ａと、部品押え部４ｂを有する壁部４と対向する壁部５の壁面５ａ又はその対向する壁部５が有する部品押え部の突起との間に記憶媒体Ｍを挟み込んで堅固に保持することができる。
また、部品押え部４ｂは、その部品押え部４ｂを有する壁部４が記憶媒体挿入方向に貫通した切り欠き４ｃで分断され、記憶媒体Ｍが挿入されたときに撓むように形成された自由端部となっている。このため、部品押え部４ｂは記憶媒体Ｍと当接して容易に撓むことができる。
また、部品押え部４ｂを有する壁部４の記憶媒体Ｍの挿入方向に貫通した切り欠き４ｃの幅は、記憶媒体Ｍの挿入方向手前側が奥側に比べて広くなっている。このため、記憶媒体Ｍを挿入又は取り外す際、作業者の指が入りやすく、作業性が良好である。
また、部品押え部４ｂを有する壁部４と対向する部品押え部を有しない壁部５には、部分的な切り欠き５ｂが形成されているので、記憶媒体Ｍを挿入又は取り外す際、作業者の指がさらに入りやすく、記憶媒体側面のつまむ部分の面積を十分に確保することができ、作業性が良好である。また、複数の部品保持部２を設ける場合に、複数の部品保持部２の設置間隔を狭くしても作業性を損なわず、省スペース化を図ることができる。
また、部品保持部２は、記憶媒体Ｍの挿入方向奥側に、部品収容空間３に挿入される記憶媒体Ｍの先端部が突き当たる部品突き当て部としての底面６を有しているので、記憶媒体Ｍの挿入方向の位置決めを容易に行うことができる。
また、部品保持部２は、記憶媒体Ｍの挿入方向と上記複数の壁部４、５の互いに対向する対向方向とに直交する方向から上記部品収容空間３に面する壁部８、９をさらに有しており、部品収容空間３が少なくとも４つの壁面で囲まれるように形成されている。これにより、部品収容空間３に挿入された記憶媒体Ｍは、壁部８、９により移動が制限され、複数の壁部４、５の互いに対向する対向方向と直交する方向に移動することなく保持される。
また、複写機１００の内部に上記記憶媒体保持部材１を備えることによって、装置内部に記憶媒体Ｍを堅固に保持して収納しておくことができる。
また、複写機１００の通常使用時には装置外部には露出しない箇所であって、保守点検時には容易にアクセスできる箇所に、記憶媒体保持部材１を備えることで、ユーザが意識することなく保管の必要な記憶媒体Ｍを収納しておくことができる。例えば、記憶媒体保持部材１をコントローラボックス１０１や、自動原稿搬送装置１１０の内部に取付けて、記憶媒体Ｍを収納しておくことができる。
【符号の説明】
【００２１】
１    記憶媒体保持部材
２    部品保持部
３    部品収容空間
４    壁部
４ａ  突起
４ｂ  部品押え部
４ｃ  切り欠き
５    壁部
５ａ  壁面
５ｂ  部分的な切り欠き
６    底面
７ａ  取付け孔
７ｂ  位置決め用ガイド
８、９  壁部
１００  複写機
１０１  コントローラボックス
１０２  ブラケット
１０３  取付けネジ
１１０  自動原稿搬送装置
１１１  開閉機構
１１２  原稿押え
１１３  自動原稿搬送装置内部の凹部
１１４  取付けネジ
１２０  スキャナ
１３０  画像形成ユニット
１４０  排紙トレイ
【先行技術文献】
【特許文献】
【００２２】
【特許文献１】特開２００７−２４９１５６号公報
【図１】
0005610266.tif 000002
【図２】
0005610266.tif 000003
【図３】
0005610266.tif 000004
【図４】
0005610266.tif 000005
【図５】
0005610266.tif 000006
【図６】
0005610266.tif 000007
【図７】
0005610266.tif 000008